(57)【要約】【課題】ハンマーゴルフはパターゴルフ及びグランドゴルフ等をアレンジしたスポーツで身体に負担がかからず、身近に広場があれば子供から、高齢者まで楽しめるスポーツを提供する。【解決手段】ゴルフと同じような用具を使用し、パターゴルフの良いところ、及びグランドゴルフの良いところをアレンジして採用し、簡単なルールを設けて、身近な広場・公園があれば、その自然を生かした広場で設備等自然に手を加えず、子供から、大人、高齢者まで楽しく遊べるスポーツであることを特徴とする。【選択図】図１
2008068055.tif 000002
【特許請求の範囲】
【請求項１】
パターゴルフとグランドゴルフをアレンジし、良いところを取り入れた事を特徴とするハンマーゴルフ。
【請求項２】
身近な広場・公園があれば簡単なルールと用具で、自然な状態で子供から高齢者まで出来る請求項１記載のハンマーゴルフ。
【請求項３】
ハンマーゴルフのクラブの形状は特殊な形状で、釘抜き部のない古い釘抜き付きのハンマーの形状をし、グリップ部上部に磁石を設けた非常に使いやすい請求項１及び２記載のハンマーゴルフ。
【請求項４】
適所に移動が出来るドームホールの全周面に１〜４箇所の半円形のボールの入り口、ボール止めシャツター、上部にボールを取り出す穴と、フラッグとポールを取り付ける丁番付きの旗立て具と下部に磁石を設けた請求項１〜３記載のハンマーゴルフ。
【発明の詳細な説明】
【技術分野】
【０００１】  本発明は、パターゴルフとグランドゴルフ等をアレンジした新しい競技、新しいスポーツに関する。
【背景技術】
【０００２】  従来は、ゲートボール人口は日本国内の推計では１９０万人と言われており老若男女を問わず競技熱が高く特に高齢者には非常に人気があり、健康増進のための適度な運動と多くの人との交流の場として活用されていた、しかし、近年、老人のゲートボール人口も減少の一途辿っています、これはゲートボール界においては危機的状況であり、折角作った施設が利用されていないのが現状です。
【特許文献１】特開平１１−０７６４８４号公報
【特許文献２】特開平０９−２２０３０７号公報
【発明の開示】
【発明が解決しよとする課題】
【０００３】  それには次のような問題があった。
（イ）以前は、ゲートボールは非常に人気があったが近年ゲートボール人口が減少し          ている。
（ロ）折角作った施設が利用されていないし、身近な広場では出来ない。
（ハ）ゲートボールはゲートをボールが通過しないと競技が進まず、しばらく待たな          いとプレイが出来ない。
（ニ）自分のプレイの順番が中々こない。
（ホ）プレイしている時間より他人のプレイを見ている時間の方が長い。
（ヘ）プレイのルールに人間の温かみがない
（ト）ゲートボールは高齢者のみのスポーツで子供、中高年等には好まれない。
本発明は，以上のような問題を解決するためのものである。
【発明を解決するための手段】
【０００４】  上記問題点を解決するために、本発明は「ハンマーゴルフ」の競技を提案する。
「ハンマーゴルフ」はパターゴルフ及びグランドゴルフ等をアレンジしたスポーツで身体に負担がかからず、特殊な施設は必要なく、身近に広場があれば、子供から高齢者・身体に障害のある方（車椅子可）でも楽しめるスポーツである。
ハンマーゴルフはスタートから４人一組でスタートプレイするため、ホ−ルアウトまで勝負は個人プレイのため、みんなといつまでも仲良くプレイができる。
【０００５】  上記ハンマーゴルフの詳細を説明する。
【用具】
クラブ・ボール・ホール・ホールドーム・スタートマット・ハンマーゴルフ・用具は指定品を使用する。（認定品）
【ハンマーゴルフ】
（イ）クラブはグリップ・シャフトとヘッドからなる。
（ロ）グリップとシャフトはゴルフのパターの形状・材質と同じ。
（ハ）ヘッド打面と底面の形状（特徴として、打面が底の面より上にあるため、打っ          た瞬間にボールの中央に当たる）
（ニ）また、底面がカーブになっているため地面にひっかかったり、地面を傷つけな          い形状になっている。底面形状はスイングしたときに地面の抵抗を受けないよ          うに丸みがついている。
（ホ）グリップの端には高齢者・障害者が負担がなくボールが拾えるように磁石が設          けてある。
（ヘ）ホールドームのボールの４ケ所入り口にシャツターを設け、ボールが入り口か          ら入りシャツターで止まる。
【ボール】
【０００６】    （イ）ボールは球状とし、中心は金属の球、表面は合成ゴム。中心の重みと、表面の          合成ゴムの弾力性があるため軽く打つだけで距離が出る
【スタートマット】
【０００７】    （イ）スタートマットは１組９枚で、１〜９ホールのスタートに使用する各マットに          は、１〜９番の数字がはいっている。
【ドームホール】
【０００８】    （イ）ドーム型の全周面に１〜４個所のボールの入れ口が設けてある。
（ロ）屋根の中心部丸い穴はボールの取出し口を設けてある
（ハ）ドームの上部にホールナンバーを表示したフラッグとポールを設けた。
（ニ）フラッグとポールを倒し、ボール取出し口からボールをとる。
【ゲーム】
【０００９】  ハンマーゴルフのゲームは４人１組でプレイ・所定のボールを決められた打順に、したがって、スタート位置から打ち始め、１番〜９番ホール・ＩＮ／ＯＵＴの１８ホールのコースで競技・ホールアウトまでパットの数をお最少打数で争うゲーム。
【コース】
【００１０】  コースはグランド・公園・広場等があれば常設のコースがなくても施設の広さに合わせて競技前に役員が自由にレイアウトしてコースを設定しプレイが出来るのが特徴であり、コースはなるべく地面は自然の状態で（トラップ）障害物などは動かさないでプレイするほうが面白い。会場が狭い場合は９ホールが終わったら、１番ホールに戻り、１番ホールが／ｏｕｔコース・１０番ホールになり、順次・回ります。
ドームホールは穴を掘ったり、固定はしないので、何処でも移動設置が可能。
【ボール】
【００１１】  ボールは軽く打つだけで転がるので力は関係なく家族・地域・学校や職場などで、老若男女・障害のある方にも、楽しめるバリヤフリースポーツです。
【コース前に、まずコースを設定します】
【００１２】  スタート地点に１番ホールより順にスタートマット置き、離れた距離約３０〜７０メーターの距離にドームホールを置き１番ホールドームの近くに２番ホール・スタートマットの順にコースをセッテイング・標準コース図（図１）を参考にしてください。
【発明の効果】
【００１３】  近年ゲートボール人口が減少している中、パターゴルフとグランンドゴルフをアレンジした新しい競技で、専用の施設も必要なく、身近にグランド・公園・広場等があれば、簡単なルールで、施設に合わせて、障害物等はそのままの自然な状態で競技が出来、老若男女・子供・身体に障害（車椅子可）のある方も気軽に、またリハビリの必要な方も遊びを兼ねて、いつの間にかリハビリの効果が期待できるゲーム。
【００１４】  年々高齢者が増える中、医療費増加の最大の原因は高齢者が家に閉じこもり運動不足になり老人医療費が増えていることに、大きな原因があるといわれています。日常生活でも身体を動かす生活が維持できるように、ハンマーゴルフは、身体に負担が掛からないので、障害のある方もリハビリを兼ねた、プレイができ、寝たきりの高齢者をふやさないためにも身近で身体を動かしゲームが出来る。生涯健康でしかも老人の低医療費の効果が期待できるゲーム
【発明を実施するための最良の形態】
【００１５】  以下、本発明の実施の形態を説明する。
（イ）  競技用の用具をそろえる。
（ロ）  身近の広場・公園等の場所を確保する。
（ハ）  コースは成るべく地面は自然な状態で障害物などは動かさない。
（ニ）  プレイは４人が１組で、抽選にて順番を決める。２打目からはホールに距離の          ある人から順に打つ。「次のホールからは打数の少ない人がオーナー」
（ホ）  スコアーは１ホール・パー３（距離が短くてもホールインワンするには簡単で          ない）
（ヘ）  パープレイ１８ホール・ベストスコアーは５４
（ト）  ハンマーゴルフは、あくまで個人プレイが基本のため勝っても、負けても、他          人に気を使わないので、人間関係が維持できる。
（チ）  ハンマーゴルフは高度な技術・体力等は不用でルールも簡単なため、誰でも、          その日からプレイが出来るのが特徴。
（リ）  スコアーは自己申告（スコアーカード及び記入例は説明書参照）
（ヌ）  ルールは別途ルールブック参照。
本発明は、以上の構成よりなっている。
【図面の簡単な説明】
【００１６】
【図１】  本発明のハンマーゴルフコースの実施の参考例
【図２】  本発明のハンマーゴルフクラブの側面図
【図３】  本発明のハンマーゴルフクラブの平面図
【図４】  本発明のボールの断面図
【図５】  本発明のホームドームの平面図
【図６】  本発明のホームドームの側面図
【図７】  本発明のホームドームのボール止めの平面図
【図８】  本発明のホームドームのボール止めと一部断面の側面図
【図９】  本発明のホームドームのボールが入りシャツターで止まる実施例
【図１０】  本発明のスタートマットの平面図
【図１１】  本発明の正面図
【図１２】  本発明のボールをハンマーゴルフクラブに乗せた正面図
【符号の説明】
【００１６】１    ヘッド
２    シャフト
３    グリップ
４    磁石
５    打面
６    底
７    ボール
８    ボール断面
９    中心は金属の球
１０  外側は合成ゴム
１１  スタートマット
１２  コースナンバー
１３  ライン
１４  ホールドーム
１５  ボール入り口
１６  シャツター
１７  フラッグとポール
１８  ボール取出し口
１９  ちょうばん
２０  磁石
２１  ハンマーゴルフコース
【図１】
2008068055.tif 000003
【図２】
2008068055.tif 000004
【図３】
2008068055.tif 000005
【図４】
2008068055.tif 000006
【図５】
2008068055.tif 000007
【図６】
2008068055.tif 000008
【図７】
2008068055.tif 000009
【図８】
2008068055.tif 000010
【図９】
2008068055.tif 000011
【図１０】
2008068055.tif 000012
【図１１】
2008068055.tif 000013
【図１２】
2008068055.tif 000014